【手続補正書】
【提出日】平成27年6月3日(2015.6.3)
【手続補正１】
【補正対象書類名】明細書
【補正対象項目名】発明の名称
【補正方法】変更
【補正の内容】
【発明の名称】美容皮膚手入れの装置
【手続補正２】
【補正対象書類名】明細書
【補正対象項目名】００４７
【補正方法】変更
【補正の内容】
【００４７】
図７Ｂは、図７Ａの実施形態のもう一つの構成を示す。この構成では、接地電極７０４が、保持体７０６の静止部分７０６−１の中心にある。ラジオ波エネルギー適用毛７１２と接地電極７０４との間の最短距離（ｄ）は、ラジオ波エネルギー適用毛７１２の短絡を防止するべく、毛７１２の長さ（ｌ）を超過する（すなわちｄ＞ｌ）。
【手続補正３】
【補正対象書類名】特許請求の範囲
【補正対象項目名】全文
【補正方法】変更
【補正の内容】
【特許請求の範囲】
【請求項１】
美容皮膚手入れの装置であって、
ブラシ状ヘッドと、
前記ブラシ状ヘッドに取り付けられたハンドルと
を含み、
前記ブラシ状ヘッドは、少なくとも一つの保持体と、複数のクラスターに配列された少なくとも２つのタイプの複数の毛と、少なくとも一つのエネルギー源とを含み、
前記複数のクラスターはそれぞれ、前記保持体に取り付けられた同じタイプの複数の毛を含み、
少なくとも一つのタイプの複数の毛は、複数の形態のエネルギーを前記皮膚に適用するべく動作可能であり、
前記エネルギー源は、前記少なくとも一つのタイプの複数の毛にエネルギーを供給するべく動作可能であり、
前記ハンドルは、前記エネルギー源を制御する少なくとも一つのスイッチを含み、
前記複数の形態のエネルギーの少なくとも一つがラジオ波エネルギーであり、
互いに最も近くかつそれぞれが異なるクラスターに由来する前記ラジオ波エネルギーを適用する複数の毛の間の最短距離（ｄ）が、前記ラジオ波エネルギーを適用する複数の毛の短絡を防止するべく前記複数の毛の組み合わせ長さ（ｌ）未満である（ｄ＜ｌ１＋ｌ２）装置。
【請求項２】
前記複数の形態のエネルギーは、ラジオ波エネルギー、光エネルギー、機械エネルギー及び超音波エネルギーを含む群から選択される、請求項１に記載の装置。
【請求項３】
前記ブラシ状ヘッド及び前記ハンドルの少なくとも一方が、エネルギー源、ラジオ波発生器、光源、制御器及び表示灯の少なくとも一つを含むべく動作可能である、請求項１に記載の装置。
【請求項４】
前記複数の毛のタイプが、不活性毛及びエネルギー適用毛を含むタイプの群から選択される、請求項１に記載の装置。
【請求項５】
前記毛は半剛性又は柔軟である、請求項１に記載の装置。
【請求項６】
前記複数のクラスターは複数の標準ラジオ波電極である、請求項４に記載の装置。
【請求項７】
前記複数の毛は、それぞれが少なくとも一つの光ファイバを含む複数の光エネルギー適用毛である、請求項１に記載の装置。
【請求項８】
前記複数の毛は、それぞれが複数の光ファイバを含む複数の光エネルギー適用毛である、請求項１に記載の装置。
【請求項９】
前記光ファイバは、互いに摺動可能に接着されるか、柔軟なコーティングで保護されるか、及び柔軟なスリーブで保護されるかの少なくとも一つである、請求項８に記載の装置。
【請求項１０】
前記スリーブは、保護用透明カバーで終端する、請求項９に記載の装置。
【請求項１１】
前記複数の毛は、コヒーレント光、可視光及び赤外（ＩＲ）光を含む群から選択される少なくとも一つの光の形態にある光エネルギーを適用する、請求項１に記載の装置。
【請求項１２】
前記ラジオ波エネルギーを適用する毛は、少なくとも一部が電気的に絶縁される、請求項１に記載の装置。
【請求項１３】
前記保持体に取り付けられた少なくとも２つのタイプの毛は、少なくとも２つの異なる形態のエネルギーを前記皮膚に適用するべく動作可能である、請求項１に記載の装置。
【請求項１４】
前記ブラシ状ヘッドはさらに、前記保持体に接続された少なくとも一つのＬＥＤを含む、請求項１に記載の装置。
【請求項１５】
前記ブラシ状ヘッドはさらに、静電電荷が容易に帯電される材料で覆われ、かつ、緩んだ帯電皮膚の残骸を収集するべく動作可能な少なくとも一つの軟質パッドを含む、請求項１に記載の装置。
【請求項１６】
前記保持体はさらに、
凹部と、
前記凹部内に埋め込まれた一以上の発光ダイオード（ＬＥＤ）と、
前記凹部を覆いかつ透明窓を形成する前記保持体に取り付けられた透明板と、
前記透明板に取り付けられた透明材料から作られた複数の毛と
を含む、請求項１に記載の装置。
【請求項１７】
前記保持体は、少なくとも一つの静止部分及び少なくとも一つの回転可能な可動部分を含む、請求項１に記載の装置。
【請求項１８】
前記回転可能な可動部分は、滑動環アセンブリ又はブラシアセンブリを介して前記エネルギー源と通信する複数のラジオ波エネルギー適用毛を含む、請求項１７に記載の装置。
【請求項１９】
前記回転可能な可動部分は、単極構成にある複数のラジオ波エネルギー適用毛を含み、かつ、前記ハンドルはさらに共通電極を含む、請求項１８に記載の装置。
【請求項２０】
前記回転可能な可動部分は、単極構成にある複数のラジオ波エネルギー適用毛を含み、かつ、前記静止部分は接地電極を含む、請求項１８に記載の装置。
【請求項２１】
前記ブラシ状ヘッドはさらに、振動効果モータを含む、請求項１に記載の装置。
【請求項２２】
前記ブラシ状ヘッドはさらに、振動又は並進動効果をもたらす圧電素子を含む、請求項１に記載の装置。
【請求項２３】
前記ブラシ状ヘッドはさらに、
少なくとも一つの壁に少なくとも一つのレールを含む凹部と、
前記レールにより支持されかつ前記レールに沿って回転動作可能な少なくとも一つのホイールを有する少なくとも一つのシャシと、
前記シャシから懸架された前記保持体の少なくとも一つの可動部分と、
前記エネルギー源からの給電を受け、かつ、前記ホイールに取り付けられた制御器によって制御される少なくとも一つの電気モータと
を含む、請求項１に記載の装置。
【請求項２４】
前記ブラシ状ヘッドはさらに、
少なくとも一つの壁に少なくとも一つのレールを含む凹部であって、交互する極性を有する少なくとも一つの電磁石を含む凹部と、
前記レールにより支持されかつ前記レールに沿って回転動作可能な少なくとも一つのホイールを有する少なくとも一つのシャシと、
前記シャシから懸架された前記保持体の少なくとも一つの可動部分であって、前記電磁石に対向する少なくとも一つの周縁に磁石を有する少なくとも一つの可動部分と
を含む、請求項１に記載の装置。
【請求項２５】
前記ブラシ状ヘッドはさらに、
電気伝導性ゲルを保持するべく動作可能なゲル貯蔵器と、
前記ゲル貯蔵器と連通する前記保持体における少なくとも一つの穴と
を含み、
前記ゲル貯蔵器は、
少なくとも一つの貯蔵器補充用バルブと、
前記エネルギー源及び前記制御器と通信する少なくとも一つの自動配給ポンプと
を含む、請求項１に記載の装置。
【請求項２６】
前記複数の形態のエネルギーは、同時に、引き続いて、及びこれらの組み合わせの少なくとも一つで適用される、請求項１に記載の装置。
【手続補正４】
【補正対象書類名】図面
【補正対象項目名】図３Ｃ
【補正方法】変更
【補正の内容】
【図３Ｃ】
2014527432.tif 000001
【手続補正５】
【補正対象書類名】図面
【補正対象項目名】図３Ｄ
【補正方法】変更
【補正の内容】
【図３Ｄ】
2014527432.tif 000002